(57)【特許請求の範囲】
【請求項１】
少なくとも一部分が連結している２つ以上の板状部を有する支持体と、少なくとも１つの板状部上に非接触で不可視情報の通信を行うことができるデータキャリアを設け、板状部の少なくとも１つに、管理する物品に対して安定して取り付けることができる取り付け安定化手段を設けており、その取り付け安定化手段が当該板状部の一部に設けられた固定部であり、その固定部が管理する物品の収納容器の蓋や壁の隙間に差し込むことによる押圧を受けてその厚さが薄くなり、元の形状に戻るための反発力を有する材質又は構造であり、管理する物品に対して着脱可能であることを特徴とするＩＣタグプレート。
【請求項２】
前記固定部が、前記板状部の少なくとも１つの板状部を折り曲げて重ね合わせ、その折り曲げた端部を当該板状部に連結した構造又は弾性体若しくは軟質発泡弾性体を前記板状部の少なくとも１つの板状部に固定した構造である請求項１に記載のＩＣタグプレート。
【請求項３】
前記支持体の厚みを含めた固定部の厚さが、圧力のかからない状態で支持体の厚さの２〜２０倍である請求項１又は２に記載のＩＣタグプレート。
【請求項４】
前記支持体が、わん曲可能で、かつ復元可能な材質で構成され、厚みが５０〜２０００μｍ又は坪量が５０〜１０００ｇ／ｍ２である請求項１〜３のいずれかに記載のＩＣタグプレート。
【請求項５】
２つ以上の板状部が１枚の支持体を折り曲げて構成されている請求項１〜４のいずれかに記載のＩＣタグプレート。
【請求項６】
請求項１〜５のいずれかに記載のＩＣタグプレートを管理する物品に取り付け、ＩＣタグプレートとの不可視情報の通信をする通信手段を用いることを特徴とする物品管理方法。
【発明の詳細な説明】
【技術分野】
【０００１】
本発明は、物品管理などに用いられるＩＣタグプレート、及びそれを用いた物品管理方法に関する。
【背景技術】
【０００２】
従来、電化製品、電子部品などを始め、様々な物品を段ボール箱などの収納容器に入れて、出荷、運搬、販売などが行われており、これらを管理する方法として、ＩＣタグを用いることが行われている。
このＩＣタグを用いて管理する方法として、段ボール箱などの収納容器にＩＣタグを埋め込んで、ＩＣカードにリーダライタにより非接触で不可視情報の記録、読み込みを行い、物品の管理を行う方法や、さらに、段ボール箱などの収納容器にＩＣカード収納ポケットを設けて、その収納容器のＩＣカード収納ポケットにＩＣカードを収納し、ＩＣカードにリーダライタにより非接触で不可視情報の記録、読み込みを行い、物品の管理を行う方法が提案されている（特許文献１参照）。
【０００３】
しかし、収納容器にＩＣタグを埋め込んで、物品の管理を行う場合、収納容器も購入者に渡ってしまうときには、ＩＣカードは使い捨てになり、特に、ＩＣカード装着期間が短期間で、且つ数量が多い場合、多額のランニングコストが必要となる問題があった。
また、段ボール箱などの収納容器にＩＣカード収納ポケットを設けて、物品の管理を行う場合、収納容器にＩＣカード収納ポケットを設ける操作が必要となり、また、収納容器に設けたＩＣカード収納ポケットが突き出ているので、収納容器を隙間なく積み上げることができない問題があり、さらに、突き出ているＩＣカード収納ポケットが何らかの衝撃により外れることがあり、外れたＩＣカードが本来どの物品についていたものかが分からなくなるという問題もあった。
【０００４】
【特許文献１】特開２００１−３４１８４５公開公報
【発明の開示】
【発明が解決しようとする課題】
【０００５】
本発明は、上記従来技術の状況に鑑みてなされたものであり、段ボール箱などの収納容器にＩＣカード収納ポケットを設けることなく、容易に収納容器に着脱することができ、非接触で不可視情報の通信を行うことができるＩＣタグプレート、及びそれを用いた物品管理方法を提供することを目的とする。
【課題を解決するための手段】
【０００６】
本発明者らは、上記課題を解決するために、鋭意検討した結果、少なくとも一部分が連結している２つ以上の板状部を有する支持体と、少なくとも１つの板状部上に非接触で不可視情報の通信を行うことができるデータキャリアを設け、板状部の少なくとも１つに、管理する物品に対して安定して取り付けることができる取り付け安定化手段を設けており、その取り付け安定化手段が当該板状部の一部に設けられた固定部であり、その固定部が管理する物品の押圧を受けてその厚さが薄くなり、元の形状に戻るための反発力を有する材質又は構造であるＩＣタグプレートを用い、そのＩＣタグプレートを管理する物品に対して着脱可能にすることにより、上記課題が解決できることを見出し、この知見に基づいて本発明を完成するに至った。
【０００７】
すなわち、本発明は、少なくとも一部分が連結している２つ以上の板状部を有する支持体と、少なくとも１つの板状部上に非接触で不可視情報の通信を行うことができるデータキャリアを設け、板状部の少なくとも１つに、管理する物品に対して安定して取り付けることができる取り付け安定化手段を設けており、その取り付け安定化手段が当該板状部の一部に設けられた固定部であり、その固定部が管理する物品の収納容器の蓋や壁の隙間に差し込むことによる押圧を受けてその厚さが薄くなり、元の形状に戻るための反発力を有する材質又は構造であり、管理する物品に対して着脱可能であることを特徴とするＩＣタグプレートを提供するものである。
また、本発明は、上記ＩＣタグプレートにおいて、前記固定部が、前記板状部の少なくとも１つの板状部を折り曲げて重ね合わせ、その折り曲げた端部を当該板状部に連結した構造又は弾性体若しくは軟質発泡弾性体を前記板状部の少なくとも１つの板状部に固定した構造であるＩＣタグプレートを提供するものである。
また、本発明は、上記ＩＣタグプレートにおいて、前記支持体の厚みを含めた固定部の厚さが、圧力のかからない状態で支持体の厚さの２〜２０倍であるＩＣタグプレートを提供するものである。
【０００８】
また、本発明は、上記ＩＣタグプレートにおいて、前記支持体が、わん曲可能で、かつ復元可能な材質で構成され、厚みが５０〜２０００μｍ又は坪量が５０〜１０００ｇ／ｍ２であるＩＣタグプレートを提供するものである。
また、本発明は、上記ＩＣタグプレートにおいて、２つ以上の板状部が１枚の支持体を折り曲げて構成されているＩＣタグプレートを提供するものである。
さらに、本発明は、上記ＩＣタグプレートを管理する物品に取り付け、ＩＣタグプレートとの不可視情報の通信をする通信手段を用いることを特徴とする物品管理方法を提供するものである。
【発明の効果】
【０００９】
本発明のＩＣタグプレートは、段ボール箱などの収納容器の蓋と壁の隙間に、差し込む又は挟むことにより容易に取り付けすることができ、また、容易に取り外すことができる。また、本発明のＩＣタグプレートは、段ボール箱などの収納容器の蓋と壁の隙間以外にも、例えば、ファイルボックスなどの壁に挟みつけることにより、容易に取り付けすることができ、また、容易に取り外すことができる。そのため、収納容器などが管理部門から外れる際には、ＩＣタグプレートを回収でき、さらに、非接触で不可視情報の記録、読み込み、又は消去を行うことができるデータキャリアを設けているので、不可視情報の書き換えを行うことができ、ＩＣタグプレートを何回も使用することができる。よって、ランニングコストを抑えることができ、スムーズな物品管理を行うことができる。
【発明を実施するための最良の形態】
【００１０】
本発明において、ＩＣタグプレートは、２つ以上の板状部を有する支持体からなる。
板状部を有する支持体としては、種々の材質で構成できるが、わん曲可能な材質で構成することが好ましく、わん曲可能で、かつ復元可能な材質で構成することが特に好ましい。ここで、わん曲可能な材質とは、支持体の一端を固定し、反対側の他端を持ち上げた場合、支持体が弓状に曲がる性質を有する材質である。また、復元可能な材質とは、わん曲した場合に自ら元の形状に復元する性質を有する材質である。支持体をわん曲可能な材質、又はわん曲可能で、かつ復元可能な材質で構成すると、一方の板状部を収納容器の蓋や壁の隙間に差し込む場合、他の板状部もわん曲可能なので、一方の板状部を収納容器の蓋や壁の隙間に容易に差し込むことができる。また、収納容器の蓋や壁を挟む場合、特に２つの板状部の連結部近傍で、収納容器の蓋や壁を挟むことにより２つの板状部が外側に押し広げられ、それに対する反発力により２つの板状部が収納容器の蓋や壁を締め付けることができる。
【００１１】
支持体の好適な具体例としては、高分子樹脂を主成分とするプラスチックシートや、繊維を主成分とする紙から構成されているシートが挙げられる。プラスチックシートとしては、種々のプラスチックシートや合成紙が使用でき、例えば、ポリエチレン樹脂、ポリプロピレン樹脂などのポリオレフィン樹脂、ポリエチレンテレフタレート樹脂、ポリエチレンナフタレート樹脂、ポリブチレンテレフタレート樹脂などのポリエステル樹脂、ポリ塩化ビニル樹脂、ポリスチレン樹脂、ポリイミド樹脂、ポリカーボネート樹脂などの各種合成樹脂のシートが挙げられ、特に、ある程度の強度や、透明性があり安価であることから、ポリエチレン樹脂シート、ポリプロピレン樹脂シートが好ましい。プラスチックシートは、単層であってもよいし、同種又は異種の２層以上の多層であってもよい。
【００１２】
支持体を構成する紙としては、種々の紙が挙げられ、木材パルプ、ガラス繊維、合成繊維などから選ばれる１種又は２種以上からなる上質紙、グラシン紙、コート紙、ポリエチレン樹脂やポリプロピレン樹脂などの合成樹脂をラミネートしたラミネート紙、不織布などが挙げられる。
支持体は、透明であってもよいし、不透明であってもよいが、透明であることが好ましい。
支持体の厚みは、特に制限ないが、シートがプラスチック製などである場合は、通常５０〜２０００μｍが好ましく、１００〜１０００μｍがより好ましく、１５０〜７００μｍが特に好ましい。また、シートが紙製である場合、通常坪量が５０〜１０００ｇ／ｍ２が好ましく、２００〜６００ｇ／ｍ２がより好ましい。
【００１３】
支持体がプラスチック製で厚さが５０μｍ未満、あるいは紙製で坪量が５０ｇ／ｍ２が未満であると、厚さが薄いが為の支持体としてのコシ（硬さ）がなくなることがあるので収納容器の隙間に差し込みにくくなるばかりでなく、わん曲可能、あるいは復元可能な性能が乏しくなることがある。
支持体がプラスチック製で厚さが２０００μｍを超える、あるいは紙製で坪量が１０００ｇ／ｍ２を超えると、厚さが厚いが為の支持体としてのコシ（硬さ）があり過ぎることがあるので、後述する折り曲げ線で折り曲げ難くなり、加工適性に劣ることがある。
【００１４】
本発明において、２つの板状部は、少なくとも一部分が連結しており、連結していない部分が存在する。この構造を有するため、２つの板状部は、収納容器の蓋や壁の端部から中央部に向かって挟むことができたり、１つの板状部が収納容器の蓋や壁の隙間に差し込まれ、他の板状部が収納容器の蓋や壁の表面を覆うことができる。この機能を発揮する限り、連結する場所は、特に制限されない。
【００１５】
連結は、２つの板状部が固定されればよく、種々の方法により行うことができるが、例えば、接着剤による接着、ヒートシールによる熱接着、ホッチキス等による綴じ合わせなどにより、行うことができる。なお、２つの板状部が１枚の支持体を折り曲げて構成されている場合、２つの板状部は、折り曲げ部で連結されていることになる。
本発明のＩＣタグプレートを収納容器に取り付ける前には、２つの板状部の未連結部においては、それぞれの板状部は接触した状態であってもよいし、離れた状態であってもよい。２つの板状部が接触又はそれに近い状態で重なっていると、小さいスペースに、沢山のＩＣタグプレートを保管、収納でき、整理し易いので好ましい。
【００１６】
板状部の形状は、三角形、四角形、五角形、六角形などの多角形、円、楕円など種々の形状のシートであることができ、通常、四角形のシートが好ましい。
２つの板状部が、四角形のシートであるとき、２枚の四角形のシートの一辺の一部又は全部を連結して、一部分が連結した２つの板状部とすることができる。また、上記したように、２枚の四角形のシートは、１枚の四角形のシートを折り曲げたものであってもよい。この場合、折り曲げ部が連結部となる。
【００１７】
板状部の大きさは、特に制限されないが、収納容器の大きさに応じて適宜選定すればよい。板状部の大きさは、通常、差し込み方向の長さが２〜２０ｃｍが好ましく、３〜１０ｃｍがより好ましく、差し込み方向に対して直角方向の長さが２〜２０ｃｍが好ましく、３〜１０ｃｍがより好ましい。
板状部の差し込み方向の長さが２ｃｍ未満であると、収納容器の隙間に差し込む長さが短すぎて、充分に蓋や壁に挟み込むことができないことがあり、収納容器の隙間から抜け易くなることがある。２０ｃｍを超えると、収納容器の隙間に差し込みにくくなり、抜けにくくなることがある。
【００１８】
さらに、本発明のＩＣタグプレートにおいては、２つの板状部の間、又は２つの板状部の外側に、１つ以上の同様な板状部を設け、合計３つ以上の板状部で構成してもよい。
本発明のＩＣタグプレートにおいては、少なくとも１つの板状部上に非接触で不可視情報の通信を行うことができるデータキャリアを設ける。
不可視情報の通信としては、情報の記録、読み込み、書き換え、消去などを挙げることができ、本発明では、前記の全てを満たす必要はなく、少なくとも列挙したいずれか一つを行うことができればよい。
【００１９】
この機能を有するデータキャリアとしては、アンテナの機能を有する電子回路と、その電子回路の両末端に接続するＩＣチップとが基材シートの上に設けられ、さらに、電子回路とＩＣチップを覆う接着剤層からなるデータキャリアが挙げられる。
前記電子回路としては、金属や導電性ペーストからなる導電性部材を渦巻状いわゆるループ状に形成したものを挙げることができる。電子回路とＩＣチップを覆う接着剤層に用いられるものとしては、既存のものを広く利用することができ、アクリル系、ゴム系、シリコーン系などの接着剤を挙げることができる。
データキャリアで用いられる前記基材シートとしては、前記支持体で例示したプラスチックシートや紙から構成されるシートなどを挙げることができる。
【００２０】
２つの板状部の少なくとも１方には、取り付け安定化手段を設ける。取り付け安定化手段は、本発明のＩＣタグプレートを収納容器に取り付けた際に、本発明のＩＣタグプレートが収納容器から外れ難くできるものであり、板状部の一部に積層された再剥離粘着剤層又は板状部の一部に設けられた固定部である。
これらの取り付け安定化手段は、２つの板状部の１方又は両方に設けることができる。
【００２１】
再剥離粘着剤層は、収納容器の蓋や壁に押し付けると粘着してＩＣタグプレートを固定できるが、剥がす時には収納容器の蓋や壁に粘着剤が残ることなく、容易にＩＣタグプレートを剥がすことができるものである。
本発明の再剥離粘着剤層に用いられるものとしては、既存のものを広く利用することができ、アクリル系、ゴム系、シリコーン系などの接着剤を挙げることができる。
【００２２】
固定部は、板状部の一部に設けられ、支持体よりも厚みが厚い部位であり、支持体の厚みを含めた固定部の厚さは、圧力のかからない状態で支持体の厚さの２倍以上が好ましく、３〜２０倍がより好ましく、４〜１０倍がさらに好ましく、具体的には、０．１〜４０ｍｍが好ましく、０．５〜１０ｍｍがより好ましく、１〜５ｍｍがさらに好ましい。
【００２３】
取り付け安定化手段は、板状部に設ければよいが、板状部を収納容器の蓋や壁の隙間に差し込む場合、板状部の先端部に設けることが好ましい。また、２つの板状部で収納容器の蓋や壁を挟む場合、２つの板状部で挟まれる内側の支持体の内側表面に設けることが好ましく、支持体の先端の内側表面に設けることがより好ましい。
固定部は、板状部を収納容器の蓋や壁の隙間に差し込むと、押圧を受けてその厚さが薄くなり、元の形状に戻るための反発力を有する材質及び構造にする。このような材質及び構造により、一層、ＩＣタグプレートを取り付けた際に取付けを安定化することができる。
【００２４】
固定部の具体例としては、板状部を折り曲げて重ね合わせ、その折り曲げた端部を連結したものが挙げられる。板状部を折り曲げてその端部を連結して、２つの板状部がわん曲し、折り曲げ部から端部までの距離の中間部で最大の厚さにすることができるものが好ましい。
その他の固定部の具体例としては、ゴムなどの弾性体や、スポンジなどの軟質発泡弾性体などが挙げられる。これらの弾性体は、板状部に接着剤などで貼り付けることにより、板状部に固定することができる。
【００２５】
なお、本発明のＩＣタグプレートを収納容器に取り付けたときに、収納容器の外側に出ている板状部の表面には、管理者名、管理期間などの管理に関する情報を表示してもよい。管理に関する情報の表示は、板状部の表面に直接してもよいし、管理に関する情報を表示したラベルを板状部又はデータキャリアの表面に貼付してもよい。
情報を表示する面には、印字層を設けることが好ましい。印字層としては、既存のものを適宜選択して用いることができ、例えば、感熱発色層、感圧発色層、インクジェットなどのインク受容層などを挙げることができる。ＩＣタグプレートを繰り返し利用するには、情報の書き換えのできるロイコ染料などを利用した可逆性感熱発色層が好ましい。
【００２６】
次に、本発明のＩＣタグプレートの具体例を、図に基づいて説明する。
図１には、１枚の透明なプラスチックシート（例えば、厚みが４００μｍの透明なポリプロピレン樹脂シート）を、板状部１、板状部２、摘み部３が連結した形状にカットした平面図が示されている。また、板状部２には、データキャリア７が取り付けられ、摘み部３には、棒などを挿通し整理整頓するための整理部としての穴４が設けられている。
【００２７】
図２には、ＩＣタグプレート１２の斜視図が示されている。
図１における２つの摘み部３の連結部にある折り曲げ線５で折り曲げ、板状部１と板状部２を重ね合わせ、摘み部３の近傍の２つの板状部１と板状部２をヒートシール部８で熱接着すると、ＩＣタグプレート１２が形成される。
データキャリア７は、板状部２の外側表面に取り付けてもよいし、板状部２の内側表面に取り付けてもよい。また、データキャリア７は、板状部２の代わりに、板状部１の外側表面又は内側表面に取り付けてもよい。
板状部の大きさは、特に限定されないが、例えば、図２においては、板状部１の差し込み方向の長さが５〜７ｃｍであり、差し込み方向に対して直角方向の長さが７〜９ｃｍである。図２においては、板状部２の差し込み方向の長さは、板状部１の差し込み方向の長さよりも短くなっているが（例えば、１．５〜２．５ｃｍ短くなっている）、同等であってもよいし、逆に長くなっていてもよい。
【００２８】
図１における板状部１の端部にある折り曲げ線６で折り曲げて重ね合わせ、折り曲げた板状部１の先端部をヒートシール部１０で重ね合わされた板状部１と熱接着すると、取り付け安定化手段としての固定部９が形成できる。
固定部９は、折り曲げられた板状部１の端部をヒートシール部１０により熱接着した２つの板状部１がわん曲して、折り曲げ部から端部までの距離の中間部で最大の厚さ（例えば、１．５〜３ｍｍ）になっている。なお、図２においては、折り曲げて重ねた２つの板状部１の折り曲げ線６から熱接着する位置までの長さはそれぞれ同じであるが、熱接着する位置を差し込み方向の前後にずらせて、折り曲げて重ねた２つの板状部１の折り曲げ線６から熱接着する位置までの長さを異ならせて、固定部９の厚さをさらに厚くすることもできる。
【００２９】
収納容器の隙間に差し込む板状部の先端は、丸みを持たせることが好ましい。この丸みは、０．３ｍｍＲ〜３ｍｍＲが好ましい。
上記のＩＣタグプレート１２においては、板状部１の差し込み先端は、固定部９が形成されており、その固定部９の先端は板状部１が折り曲げられたものであり、丸みを持っている。
【００３０】
図３には、上記図２に示すＩＣタグプレート１２が、段ボール箱の上部蓋１４と側面壁１３の隙間に差し込んで取り付けられている状態が示されている。
摘み部３を手で掴んで、ＩＣタグプレート１２を、段ボール箱の上部蓋１４と側面壁１３の隙間に差し込んでいくと、板状部２は側面壁１３の外側に出て、板状部１と板状部２で側面壁１３を挟みつける状態になる。これにより、ＩＣタグプレートは、段ボール箱の側面壁１３に固定される。
また、固定部９は、ＩＣタグプレート１２を、段ボール箱の上部蓋１４と側面壁１３の隙間に差し込んでいくと、上部蓋１４と側面壁１３により押圧されて、押し潰され、その押し潰す圧力に対抗した復元力が生じて、上部蓋１４と側面壁１３を押し返すことになり、これにより、より強固に段ボール箱の側面壁１３に固定される。
なお、固定部９は、２つの板状部１が形成する中空部を持っているが、その中空部には、ゴムなどの弾性体や、スポンジなどの軟質発泡弾性体を入れてもよい。
固定部９は、折り曲げ線６を一度折り曲げて形成しているが、折り曲げ線６を複数設けて２度、３度と折り曲げて形成してもよい。
【００３１】
段ボール箱に取り付けられたＩＣタグプレート１２に、リーダライタを近づけ、非接触で不可視情報の通信を行うことができる。
ＩＣタグプレート１２を段ボール箱から取り外すには、例えば、摘み部３を手で掴んで抜き取ればよい。
摘み部３には、穴４が設けられており、複数のＩＣタグプレート１２の穴４を棒などで突き刺すことにより、ＩＣタグプレートを整理することができる。なお、穴以外に、ＩＣタグプレートを整理することができる部材（整理部）を設けてもよい。例えば、フックや、クリップなどを整理部として取り付けてもよい。
【００３２】
ＩＣタグプレート１２の段ボール箱への取り付け、取り外しを何回でも繰り返すことができ、ＩＣタグプレート１２の機能が損なわれない限り、その取り付け、取り外しの際に、リーダライタを近づけ、非接触で不可視情報の記録、読み込み、又は消去を行い、ＩＣタグプレート１２を繰り返し使用することができる。この方法により、収納容器に収納された物品の管理をスムーズに行うことができる。
【００３３】
次に、本発明のＩＣタグプレート１２の他の具体例を説明する。
図４には、１枚の透明なプラスチックシート（例えば、厚みが４００μｍの透明なポリプロピレン樹脂シート）を、板状部１、板状部２が連結した形状にカットした平面図が示されている。また、板状部２には、データキャリア７が取り付けられている。なお、データキャリア７は、板状部２の代わりに、板状部１の外側表面又は内側表面に取り付けられてもよい。
なお、板状部へのデータキャリアの取り付けは、図７に示すように、板状部２の内側表面になる面に、予め電子回路１６を形成し、その電子回路１６の両端末にＩＣチップ１７を接続し、その電子回路１６とＩＣチップ１７を覆うように粘着剤層１８を設けて、さらに、その粘着剤層１８の表面に表面基材シートを積層することにより、行うことができる。
【００３４】
また、板状部へのデータキャリアの取り付けは、図８に示すように、板状部とは別の基材２０の表面に、予め電子回路１６を形成し、その電子回路１６の両端末にＩＣチップ１７を接続し、その電子回路１６とＩＣチップ１７を覆うように粘着剤層１８を設けて、データキャリア粘着シートを作成し、そのデータキャリア粘着シートの粘着剤層１８の表面を、板状部２の内側表面になる面に貼着することにより、行うことができる。
また、図４においては、板状部１、板状部２の連結部の近傍には、棒などを挿通し整理整頓するための穴４が設けられている。
【００３５】
図５のＡには、図４に示された板状部１の末端に固定部９が設けられたものの断面図が示されている。
板状部１と板状部２の連結部にある折り曲げ線５で折り曲げ、板状部１と板状部２を重ね合わせ、穴４の近傍の２つの板状部をヒートシール部８で熱接着すると、図５のＢに示した断面形状のＩＣタグプレートが形成される。このＩＣタグプレートの斜視図を示したものが図６に示されたものである。
このＩＣタグプレート１２は、図２における摘み部３の幅を幅全体に広げた態様であると解することもできる。
なお、ＩＣタグプレート１２は、ヒートシール部８を形成しないで、板状部１と板状部２の連結を折り曲げ線５のみで行ったものでもよい。
【００３６】
固定部９は、図２に示されたＩＣタグプレート１２と同様なものが形成されている。
データキャリア７は、板状部２の外側表面に取り付けられてもよいし、板状部２の内側表面に取り付けられてもよい。また、データキャリア７は、板状部２の代わりに、板状部１の外側表面又は内側表面に取り付けられてもよい。
板状部の大きさは、図２に示したものと同様のものである。
このＩＣタグプレート１２には、ヒートシール部８の近傍であって、板状部の先端側に、窪み線１１が形成されている。この窪み線１１は、板状部２を折り曲げ易くするものであればどのようなものでもよいが、窪み線１１の断面形状は例えば半円、半楕円、三角、四角などの多角形などの種々の形状のものが挙げられる。窪み線の窪みの深さは、通常支持体の厚さの１０〜８０％が好ましい。窪み線１１は、熱線を押し当てることにより形成することができる。
【００３７】
図９には、上記ＩＣタグプレート１２が、段ボール箱の上部外蓋１４と上部内蓋１５の隙間に差し込んで取り付けられている状態が示されている。
穴４が形成されている近傍の板状部を手で掴んで、ＩＣタグプレート１２を、段ボール箱の上部外蓋１４と上部内蓋１５の隙間に差し込んでいくと、板状部２は側面壁１３の外側に沿って拡がり出て、最終的には板状部１が上部外蓋１４と上部内蓋１５の隙間に差し込まれると、板状部２が側面壁１３の外側面に接触した状態になる。また、固定部９は、ＩＣタグプレート１２を、段ボール箱の上部外蓋１４と上部内蓋１５の隙間に差し込んでいくと、上部外蓋１４と上部内蓋１５により押圧されて、押し潰され、その押し潰す圧力に対抗した復元力が生じて、上部外蓋１４と上部内蓋１５を押し返すことになり、これにより、より強固に段ボール箱の側面壁に固定される。
【００３８】
このように段ボール箱に取り付けられたＩＣタグプレート１２に、リーダライタを近づけ、非接触で不可視情報の通信を行うことができる。
ＩＣタグプレートを段ボール箱から取り外すには、例えば、ＩＣタグプレートを手で掴んで抜き取ればよい。
ＩＣタグプレート１２の段ボール箱への取り付け、取り外しを何回でも繰り返すことができ、ＩＣタグプレート１２の機能が損なわれない限り、その取り付け、取り外しの際に、リーダライタを近づけ、非接触で不可視情報の記録、読み込み、又は消去を行い、ＩＣタグプレート１２を繰り返し使用することができる。この方法により、収納容器に収納された物品の管理をスムーズに行うことができる。
【００３９】
次に、本発明のＩＣタグプレートの他の収納容器に取り付ける具体例を説明する。
図１０には、本発明のＩＣタグプレートがファイルボックスの側面壁の表面に取り付けられた状態が示されている。
ＩＣタグプレート１２の摘み部３を手で掴んで、板状部１と板状部２で挟むように、ファイルボックスの側面壁２２の上端部から差し込んでいくと、板状部２は側面壁２２の外側に出て、板状部１と板状部２で側面壁２２を挟みつける状態になる。これにより、ＩＣタグプレート１２は、ファイルボックスの側面壁２２に固定される。
また、板状部１の先端部の内側表面には、再剥離粘着剤層２１が設けられており、ＩＣタグプレート１２をファイルボックスの側面壁２２に取り付けた後、再剥離粘着剤層２１の外側から押圧することにより、ファイルボックスの側面壁２２の内側表面に、板状部１が固着して、これにより、より強固にファイルボックスの側面壁２２に固定される。
【００４０】
ＩＣタグプレート１２をファイルボックスの側面壁２２から取り外すときには、再剥離粘着剤層２１をファイルボックスの側面壁２２の内側表面から剥がし、ＩＣタグプレート１２を抜き取ることにより、ＩＣタグプレート１２を回収することができる。
この場合も、上記と同様に、ＩＣタグプレート１２のファイルボックスへの取り付け、取り外しを何回でも繰り返すことができ、ＩＣタグプレート１２の機能が損なわれない限り、その取り付け、取り外しの際に、リーダライタを近づけ、非接触で不可視情報の記録、読み込み、及び消去を行い、ＩＣタグプレート１２を繰り返し使用することができる。この方法により、ファイルボックスに収納された書類等の管理をスムーズに行うことができる。
【００４１】
再剥離粘着剤層２１を板状部の先端部に設ける場合には、板状部１と板状部２の大きさを同じにするか、再剥離粘着剤層２１を設けた板状部よりも再剥離粘着剤層２１を設けていない板状部の方を大きくすることが好ましい。このようにすることで、ファイルボックス等より剥がしてＩＣタグプレートを回収して保管する時に、再剥離粘着剤層を設けていない板状部が再剥離粘着剤層をゴミや埃から保護する役目を担い、再剥離粘着剤層の繰り返し使用適性を向上させることができる。
【００４２】
本発明の物品管理方法としては、本発明のＩＣタグプレートに取り付けたデータキャリアに各種情報を記録し、その情報をリーダライタなどの読み取り機で読み取り、パソコン等のデータ管理装置にその情報をデータとして転送して物品を管理する方法が挙げられる。データキャリアに記録する各種情報としては、例えば発生する物品の名称、物品の製造社名や製造品番号、物品の製造年月日、物品の保管場所、物品の流通経路などを挙げることができる。
【００４３】
これらの情報をデータキャリアに記録させて、非接触の読み取り機で情報を読み取り、物品の管理を行うことができる。非接触で情報を読み取ることができるので、一つ一つの物品を目視にて確認する必要もなく、物品情報を入手することができ、手間を省くことができる。
また、読み取り機で入手した情報をデータとしてパソコン等に転送することができるので、電子情報としてデータ管理を容易に行うことができる。
【産業上の利用可能性】
【００４４】
本発明のＩＣタグプレートは、種々の物品の管理に使用することができる。
【図面の簡単な説明】
【００４５】
【図１】図１は、本発明のＩＣタグプレートを製造するための板状部用シートの一例を示した平面図である。
【図２】図２は、図１で示されているＩＣタグプレートを製造するための板状部用シートから製造された本発明のＩＣタグプレートの一例を示す斜視図である。
【図３】図３は、図２の本発明のＩＣタグプレートを段ボール箱に取り付けた状態を示す斜視図である。
【図４】図４は、本発明のＩＣタグプレートを製造するための板状部用シートの他の一例を示した平面図である。
【図５】図５は、本発明のＩＣタグプレートを製造するための板状部用シートの他の一例を示した断面図である。
【図６】図６は、図４で示されているＩＣタグプレートを製造するための板状部用シートから製造された本発明のＩＣタグプレートの一例を示す斜視図である。
【図７】図７は、データキャリアの一例の模式図を示した断面図である。
【図８】図８は、データキャリアの他の一例の模式図を示した断面図である。
【図９】図９は、図６の本発明のＩＣタグプレートを段ボール箱に取り付けた状態を示す斜視図である。
【図１０】図１０は、本発明の他の一例のＩＣタグプレートをファイルボックスに取り付けた状態を示す斜視図である。
【符号の説明】
【００４６】
１  板状部
２  板状部
３  摘み部
４  穴
５  折り曲げ線
６  折り曲げ線
７  データキャリア
８  ヒートシール部
９  固定部
１０  ヒートシール部
１１  窪み線
１２  ＩＣタグプレート
１３  側面壁
１４  上部外蓋
１５  上部内蓋
１６  電子回路
１７  ＩＣチップ
１８  粘着剤層
１９  表面基材
２０  基材
２１  再剥離粘着剤層
２２  側面壁
【図１】
0005078564.tif 000002
【図２】
0005078564.tif 000003
【図３】
0005078564.tif 000004
【図４】
0005078564.tif 000005
【図５】
0005078564.tif 000006
【図６】
0005078564.tif 000007
【図７】
0005078564.tif 000008
【図８】
0005078564.tif 000009
【図９】
0005078564.tif 000010
【図１０】
0005078564.tif 000011